(57)【要約】【課題】遊技球の進路変更の邪魔をしないでガイドレールの取付け作業の簡便化を図る。【解決手段】外・内側ガイドレール２０，２１に設けた位置決めピンを，遊技盤１６に設けた位置決め穴に圧入する。これらの位置決めピンと穴とは、手で圧入することができるシマリバメをもったハメアイ寸法で形成されている。その後に、抜け止め部材３０を取り付けてガイドレール２０を遊技盤１６に固定する。抜け止め部材３０は、遊技球１９ａの進路変更の邪魔をしないように、遊技盤１６のうちの四隅１６ａ〜１６ｄに対応するいずれかの位置に設けられている。【選択図】図６
2009011627.tif 000002
【特許請求の範囲】
【請求項１】
遊技領域と、前記遊技領域に向けて前記遊技球を案内する湾曲状の案内通路とを設けた遊技盤に、前記案内通路を確保するためのガイドレールを取り付けるガイドレールの取付構造において、
前記案内通路の側壁となる軌跡上に設けられている複数の位置決め穴と、
前記ガイドレールに設けられ、前記複数の位置決め穴に所定のシマリバメで圧入される位置決めピンと、
前記ガイドレールが湾曲状態で保持されるように前記位置決めピンを前記位置決め穴に圧入した後に、前記遊技盤のうちの四隅に対応するいずれかの位置で前記ガイドレールの抜け止めを行う抜け止め部材と、
を備えたことを特徴とするガイドレールの取付構造。
【請求項２】
前記抜け止め部材には、前記ガイドレールの上縁に嵌合する溝をもつ押さえ部と、前記遊技盤に固定される固定部と、が設けられていることを特徴とする請求項１記載のガイドレールの取付構造。
【発明の詳細な説明】
【技術分野】
【０００１】
本発明は、遊技球を遊技領域に案内するガイドレールの取付構造に関するものである。
【背景技術】
【０００２】
遊技場に設置されるパチンコ機は、操作ハンドルを操作すると、パチンコ機内部に設けられた発射装置が駆動して遊技球の打ち出しが行われ、打ち出された遊技球は案内通路を通過して、遊技領域の上方から、遊技領域に導出される。その後、遊技球は、遊技領域を流下し、例えば障害釘や風車によって、その流下方向を変化させながら、入賞チャッカー、スタートチャッカー及びアタッカ等の入賞領域に入賞する、或いはアウト口によって回収される。
【０００３】
このようなパチンコ機の場合、遊技盤には、弾性自在な板状のガイドレールによって、案内通路を構成する側壁や、遊技領域を区画する側壁が形成されているのが一般的である。このガイドレールは、幅方向の一端に形成された孔に挿通された割ピンを遊技盤に設けた位置決め穴に打ち込むことによって遊技盤にガイドレールを固定することが一般的に行われている。しかしながら、上述した方法でガイドレールを遊技盤に固定する場合、ガイドレールを略円弧状に湾曲させながら割ピンを位置決め穴に打ち込む必要があるため、多大な打ち込み力が必要になり、また、真っ直ぐに打ち込む必要があるため、高度な技術が要求される。そこで、このような作業を専用の機械で行っている。しかし、専用の機械を導入するための設備投資が必要となるため、遊技盤の製造コストが高くつくという問題がある。また、パチンコ機は、製品のサイクルが早いので、その製品ごとに専用の機械の調整やプログラム変更を行う必要があり、この切替作業により生産効率が低下するという問題もある。
【０００４】
このため、ガイドレールに取付けピンを複数設け、遊技盤に取付けピンが挿通される段付き孔を設け、取付けピンを段付き孔に挿通した状態で、遊技盤の裏側からネジ止め固定するパチンコ機が知られている（特許文献１）。これによれば、取付けピンを段付き孔に挿通させてネジ止めされるだけなので、ガイドレールを遊技盤に組み付ける作業、或いは取り外す作業も容易になる。
【特許文献１】特開２００４−４９８０８号公報
【発明の開示】
【発明が解決しようとする課題】
【０００５】
しかしながら、ガイドレールは、弾性を有する金属材料を板状に作っているため、湾曲状に変形した状態を保つのは力のいる作業になる。前述した文献に記載の発明では、取付けピンを段付き孔に挿通してガイドレールを湾曲状の状態に保ってネジ止め作業を行う。しかしながら、このネジ止め作業は、遊技盤の裏から行うため作業性が悪い。しかも、自動化機械で行うことを考慮すると、一方面からガイドレールを湾曲状に保持しながら、他方面からネジ止めを行うため、装置自体が大型化するという欠点がある。
【０００６】
本発明は、上記課題を解決するためになされたものであり、一方からの作業のみで取り付けられ、しかも、簡単に取り付けが行えるように工夫したガイドレールの取付構造を提供することを目的とする。
【課題を解決するための手段】
【０００７】
上記目的を達成するために、本発明のガイドレールの取付構造では、案内通路の側壁となる軌跡上に設けられている複数の位置決め穴と、ガイドレールに設けられ複数の位置決め穴に所定のシマリバメで圧入される位置決めピンと、ガイドレールが湾曲状態で保持されるように位置決めピンを位置決め穴に圧入した後に遊技盤のうちの四隅に対応するうちのいずれかの位置でガイドレールの抜け止めを行う抜け止め部材と、を備えたものである。
【０００８】
所定のシマリバメとしては、手で圧入することができるハメアイ寸法で位置決めピンと穴とを形成するのが取付け作業が簡便になるため好適である。また、ガイドレールのうちの遊技領域の中心を通る水平・垂直線上の位置は、一般的に遊技球の進路を変更する位置であり、遊技球の衝撃が強く加わる。そこで、抜け止め部材を設ける範囲としては、前記位置を除く四隅の範囲に設けるのが望ましい。
【０００９】
抜け止め部材としては、ガイドレールの上縁に嵌合する溝をもつ押さえ部と、遊技盤に固定される固定部と、を設けたものが好適である。
【発明の効果】
【００１０】
本発明のガイドレールの取付構造によれば、位置決めピンを位置決め穴に圧入してガイドレールを湾曲状態で保持した後に、遊技盤のうちの四隅に対応するうちのいずれかの位置で、抜け止め部材がガイドレールの抜け止めを行うので、一方からの取付け作業のみで行え、しかも、ガイドレールを一々保持しなくて済むので、取り付けが簡便に行える。また、ガイドレールのうちの遊技領域の中心を通る水平・垂直線上の遊技球の衝撃が強く加わる位置を除く四隅の範囲に、抜け止め部材を設けているから、遊技球の進路変更の邪魔をすることはない。
【発明を実施するための最良の形態】
【００１１】
本発明を採用したパチンコ機１０は、図１に示すように、本体部１１と、前面扉１２とを備えている。前面扉１２は、上部扉１３及び下部扉１４で構成される。これら扉１３，１４は、図示しないヒンジ部を介して開閉自在になっている。上部扉１３の中央には、透明なガラス１５が設けられ、ガラス１５の奥には遊技盤１６が設けられている。
【００１２】
下部扉１４には、供給皿１７、操作ハンドル１８等が設けられる。供給皿１７には、遊技球が供給される。操作ハンドル１８は、ハンドル操作をすると、下部扉１４の内部に設けた発射装置１９が駆動して、遊技球が発射される。
【００１３】
遊技盤１６には、図２に示すように、外側ガイドレール２０、内側ガイドレール２１、レール飾り部材２２、及び、構造物２３などが取り付けられている。構造物２３は、略中央に設けたセンター役物、通過チャッカー、始動チャッカー、入賞チャッカー、及び、アタッカ等で構成されている。
【００１４】
内側ガイドレール２１は、遊技領域２４の一部を区画している。外側ガイドレールは、内側ガイドレール２０の外側に所定間隔離して取り付けらており、発射装置から発射した遊技球を受け入れてその遊技球を遊技領域２４に案内する。これら外・内側ガイドレール２０，２１の間が案内通路になる。遊技領域の下方にはアウト穴２５が設けられている。アウト穴２５は、遊技領域２４を流下する遊技球のうちのアウト球を回収する。なお、図面の煩雑化を防ぐために図示していないが、遊技領域２４には、遊技球の流下方向に変化を与える障害釘や、構造物の一部である風車なども遊技盤１６に配設される。
【００１５】
遊技盤１６は、前面にベニヤ板が設けられている。内・外側ガイドレール２０，２１は、弾性を有する厚みの薄い金属板を予め湾曲状に折り曲げ形成されており、図３に示すように、下縁には複数の位置決めピン２７が所定間隔離して一列に設けられている。一方、遊技盤１６には、位置決めピン２７が圧入される位置決め穴２８が形成されている。位置決めピン２７及び穴２８は、手で圧入することができる所定のシマリバメをもつハメアイ寸法で形成されている。内・外側ガイドレール２０，２１は、位置決めピン２７を位置決め穴２８に圧入することで、予め決められた湾曲を保持した形態で遊技盤１６に仮固定される。
【００１６】
なお、遊技盤１６の前面に設ける部材としては、ベニヤ板の代わりに、プラスチック材料の板又はシートを用いた部材を用いてもよい。また、位置決めピン２７としては、内・外側ガイドレール２０，２１に一体に形成してもよいし、位置決めピンにフックを、内・外側ガイドレールに係止用開口をそれぞれ設け、フックを係止用開口に係止することで内・外側ガイドレールに一体的に設けた形態としてもよい。
【００１７】
内・外側ガイドレール２０，２１を仮固定した後には、図４に示すように、複数の抜け止め部材３０、ファール球防止弁をもつ部材３１、及び、レール飾り部材２２とを取り付ける。抜け止め部材３０は、図５に示すように、外側ガイドレール２０の上縁を押さえる押さえ部３２と、遊技盤１６にねじやビスで固定される固定部３３と、これらを繋ぐ支持部３４と、を備えたクランク状をしている。押さえ部３２には、外側ガイドレール２０の上縁が嵌まり込む溝又は窪み３５が形成されている。なお、溝３５を作る場合には、押さえ部３２の先端をＬ字状に折り曲げて作ってもよい。レール飾り部材２２は、複数の弾性自在な爪を有しており、スナップ結合により遊技盤１６に固定される。
【００１８】
外側ガイドレール２０のうちの内側ガイドレールに対向する面は、遊技球が摺動する摺動面２０ａになっている。支持部３４は、内側ガイドレール２１とは逆側に配される。押さえ部３２は、摺動面２０ａに飛び出る長さが遊技球の摺動の邪魔をしない長さになっている。なお、本実施形態では、外側ガイドレール２０のみを２つの抜け止め部材３０で固定しているが、内側ガイドレール２１も抜け止め部材３０で固定してもよい。
【００１９】
図６に示すように、外側ガイドレール２０は、略矩形の遊技盤１６の左下隅部から左上隅部を通って右上隅部までの範囲で、遊技領域２４の中心２４ａとする円又は楕円の軌跡上に沿って湾曲して固定される。一方、内側ガイドレール２１は、遊技盤１６の左下隅部から左上隅部までの範囲で、遊技領域２４の中心２４ａとする円又は楕円の軌跡上に沿って湾曲して固定されている。
【００２０】
発射装置１９から発射される遊技球１９ａは、遊技盤１６の左下隅部から左上隅部に向けて打ち出される。外側ガイドレール２０には、発射装置１９から正常に発射する遊技球１９ａが当たって遊技球１９ａの進路を変更する進路変更部３６を有する。この進路変更部３６は、外側ガイドレール２０と遊技領域２４の中心２４ａを通る水平線とが交差する位置にあり、遊技球１９ａの衝撃力が他よりも強くなる位置である。遊技球１９ａは、進路変更部３６に当接した後には外側ガイドレール２０の湾曲した摺動面に沿うように進路が変更されて案内通路を上方に向けて駆け上がり、内側ガイドレール２１の他端を通過することで遊技領域２４に打ち出される。
【００２１】
抜け止め部材３０は、遊技盤１６の四隅１６ａ〜１６ｄに対応する範囲に取り付けるのが遊技球１９ａの進路変更の邪魔をしないので望ましい。本実施形態では、抜け止め部材３０の一つは、四隅１６ａ〜１６ｄのうちの左上隅１６ａの範囲に取り付けられ、外側ガイドレール２０の進路変更部３６を超えた位置を押さえている。また、残りの一つは左下隅１６ｄの範囲に取り付けられ、外側ガイドレール２０の端部のうちの遊技球発射方向に対して上流側の一端２０ｂを押さえている。外側ガイドレール２０の他端２０ｃは、レール飾り部材２２の一部２２ａに係合して位置決めされる。
【００２２】
レール飾り部材２２の他部２２ｂは、内側ガイドレール２１のうちの遊技球発射方向に対して上流側の一端２１ａが係合してその一端２１ａを位置決めする。レール飾り部材２２は、一部２２ａと他部２２ｂとの間に、遊技領域２４の一部を区画するための側壁２２ｃを持っている。この側壁２２ｃは、凸を下向きにした弧状に湾曲している。内側ガイドレール２１の他端２１ｂは、ファール球防止弁をもつ部材３１に係合して位置決めされる。
【００２３】
本発明では、抜け止め部材３０を遊技盤１６の四隅１６ａ〜１６ｄに対応するいずれかの範囲に設けている。遊技領域２４を画定するレール２０，２１又は側壁２２ｃと、遊技領域２４の中心２４ａを通る垂直・水平線と、が交差する４つの部位は、遊技球１９ａの進行方向を変更する部位である。よって、本発明の四隅１６ａ〜１６ｄに対応するいずれかの範囲は、前記４つの部位以外の範囲であればよい。
【産業上の利用可能性】
【００２４】
上記実施形態では、本発明をパチンコ機に採用しているが、ガイドレールを有する例えば、スマートボールやピンボールなどの遊技機にも本発明を採用することができる。
【図面の簡単な説明】
【００２５】
【図１】本発明のパチンコ機の外観を示す斜視図である。
【図２】遊技盤を示す斜視図である。
【図３】一対のガイドレールを遊技盤に取り付ける第１工程を示す斜視図である。
【図４】抜け止め部材とレール飾り部とを遊技盤に取り付ける第２工程を示す斜視図である。
【図５】抜け止め部材を示す斜視図である。
【図６】遊技盤を示す正面図であり、構造物を省略してある。
【符号の説明】
【００２６】
１０  パチンコ機
２０  外側ガイドレール
２１  内側ガイドレール
１６  遊技盤
２４  遊技領域
３０  抜け止め部材
【図１】
2009011627.tif 000003
【図２】
2009011627.tif 000004
【図３】
2009011627.tif 000005
【図４】
2009011627.tif 000006
【図５】
2009011627.tif 000007
【図６】
2009011627.tif 000008